(57)【要約】      （修正有）【課題】コンクリート製のボックスカルバートのように重量のある物品を載置場所から簡単に吊支する吊り治具を提供する。【解決手段】少なくとも一面Nに内端側が縮寸する楔孔Hを備えた物品A用の吊り治具であり、楔体1は板状で物品Aの楔孔Hに緩合する幅を有し、かつ透孔11を備え、透孔11の周壁面の一部に楔部13が設けられ、楔子2は板状で楔体1の透孔11に緩合する幅を有する。楔体1を物品Aの楔孔Hに緩合し、楔子2を楔体1の透孔11を通して楔部13と対向させることにより楔体1に引張力が作用したとき、楔孔Hと楔部13の楔作用により楔子2を楔孔Hの面に圧接して物品Aを吊支する。【選択図】図５
2015202909.tif 000002
【特許請求の範囲】
【請求項１】
少なくとも一面(N)で縮寸する楔孔(H)を備えた物品(A)の吊り治具であって、
楔体(1)と楔子(2)を包含し、
該楔体(1)は板状で該物品(A)の該楔孔(H)に緩合する幅(W1)を有しかつ透孔(11)を備え、該透孔(11)の周壁面(12)の一部に楔部(13)が設けられており、
該楔子(2)は板状で該楔体(1)の該透孔(11)に緩合する幅(W2)を有し、
該楔体(1)を該物品(A)の該楔孔(H)に緩合し、該楔子(2)を、該楔体(1)の該透孔(11)を通して、該楔部(13)と対向させることにより、該楔体(1)に引張力が作用したとき該楔孔(H)と該楔部(13)の楔作用で該楔子(2)を該楔孔(H)の面に圧接して該物品(A)を吊支するようになっている
ことを特徴とする吊り治具。
【請求項２】
該物品(A)は内部に空間(S)のある函体(B)である請求項１に記載の吊り治具。
【請求項３】
該楔体(1)はその一面(14)から爪(15)が突出している請求項１又は２に記載の吊り治具。
【請求項４】
該楔子(2)はその一面(21)からつまみ(22)が突出している請求項１、２又は３に記載の吊り治具。
【請求項５】
該楔子(2)は該一面(21)との反対面(23)に押圧突部(24)を備えている請求項４に記載の吊り治具。
【請求項６】
該つまみ(22)は押圧突部(24)と反対側の面に設けられている請求項４に記載の吊り治具。
【請求項７】
該楔子(2)は該押圧突部(24)のない非干渉部(25)で該楔孔(H)の面に対するようになっており、該楔子(2)を該透孔(11)及び該楔孔(H)に挿し込んで該楔体(1)に引抜力を加えたときに、該非干渉部(25)が該楔孔(H)の該一面(N)側近傍の破壊を防止するようになっている請求項５又は６に記載の吊り治具。
【請求項８】
該楔体(1)と該楔子(2)は金属製である請求項１から７のいずれか一つの項に記載の吊り治具。
【発明の詳細な説明】
【技術分野】
【０００１】
本発明は吊り治具に係り、重量のあるコンクリート製品等で吊支するのに大きな力を必要とする物品、例えばカルバートや、単体ではそれほど重量はないが幾つも連続して成形されるような下水道函体等であって、外面の開口端が広く、内端が狭くなった楔溝を備えた物品に適用して、吊支を容易にするためのものに関する。
【背景技術】
【０００２】
楔作用を利用した締着法は広く行われている。例えば、ワイヤで重量物を吊り下げて、ジャッキによりリフトアップ又はリフトダウンするようなときに使用されるジャッキ用チャック装置が特許文献１に開示されている。
【先行技術文献】
【特許文献】
【０００３】
【特許文献１】特開平１１−１２４３００号公報    （段落０００１参照）
【発明の概要】
【発明が解決しようとする課題】
【０００４】
例えば、コンクリート製のボックスカルバートのように重量のある物品を運搬する場合、載置場所から吊支して車両等に搭載する必要がある。工場生産品の場合は吊りボルトを予め製品に埋設しておけるので、フックをこの吊りボルトに係合させて吊り上げられる。
経年劣化等でこのような既設の旧物品を新品と交換する場合、旧物品を設置場所から掘り出す必要があるが、吊りボルトが無いとフック等を旧物品に引っ掛けて吊り上げることになり、大変な作業となる。特許文献１に開示の技術は、旧物品にワイヤを取り付けるやり方に関しては何ら言及も示唆もしておらず、本発明の先行技術としては不十分である。
【０００５】
交換の対象となる物品の場合、その一面に排水用の透孔が開いているものがある。この透孔は、目詰まりを防ぐためと、ハイヒールの踵が落ち込むのを防ぐため、その一面で広く開口し、他面が狭く開口する楔状となっている。
【０００６】
本発明はこの楔状の透孔を利用して、簡単に重量のある物品を吊支できる吊り治具を提供することを目的とする。
【課題を解決するための手段】
【０００７】
（請求項１）本発明に係る吊り治具は、少なくとも一面で縮寸する楔孔を備えた物品用で、楔体と楔子を包含する。該楔体は板状で該物品の該楔孔に緩合する幅を有しかつ透孔を備え、該透孔の周壁面の一部に楔部が設けられている。該楔子は板状で該楔体の該透孔に緩合する幅を有する。そして、該楔体を該物品の該楔孔に緩合し、該楔子を、該楔体の該透孔を通して、該楔部と対向させることにより、該楔体に引張力が作用したとき該楔孔と該楔部の楔作用で該楔子を該楔孔面に圧接して該物品を吊支するようになっている。
【０００８】
物品の楔孔に楔体と楔子をセットし、楔体の透孔にクレーン等のフックを掛合してこの楔体を引き上げると、楔体は楔孔の壁面に接触しながら移動する。この壁面からの分力で楔子は水平方向へ移動して反対側の壁面に押し付けられ、引抜き力が大きくなればなるほど、楔子を楔孔面に圧接し、大きな引抜き力を物品に与えてこれを吊支する。
【０００９】
（請求項２）該物品は内部に空間のある函体であってもよい。
物品はブロック状の中実のものでもよいが、こうすると、楔孔に対する楔体と楔子の設置がし易い。
【００１０】
（請求項３）該楔体はその一面から爪が突出していてもよい。
こうすると、楔体を物品の楔孔に挿入する際、この爪が楔孔の縁に当接するので、楔体の挿入位置決めができ、楔孔を通り抜けてしまうことがない。
【００１１】
（請求項４）該楔子はその一面からつまみが突出していてもよい。
こうすると、つまみを掴んで楔子を取り扱えるので、楔孔に挿入して楔体の楔部に対設するが容易となる。
【００１２】
（請求項５）該楔子は該一面との反対面に押圧突部を備えていてもよい。
こうすると、楔子の楔孔面に対する押圧力を集中でき、抜け出たりしない。
【００１３】
（請求項６）該つまみは押圧突部と反対側の面に設けられていてもよい。
こうすると、つまみを持った状態で楔子を起立状態にでき、楔孔に挿入して楔体の楔部に対設する作業が一層容易となる。
【００１４】
（請求項７）該楔子は該押圧突部のない非干渉部で該楔孔の面に対するようになっており、該楔子を該透孔及び該楔孔に挿し込んで該楔体に引抜力を加えたときに、該非干渉部が該楔孔の該一面側近傍の破壊を防止するようになっていてもよい。
こうすると、該楔孔の該一面側は断面肉厚が漸減しているため楔子に加わる引抜力で開口の近傍部分が破壊され易いのを、非干渉部の存在によって解消できる。
【００１５】
（請求項８）該楔体と該楔子は金属製であってもよい。
こうすると、強度が大で、大きな引抜き力に対応できる。
【発明の効果】
【００１６】
本発明によれば、物品に設けられている楔孔を利用でき、この楔孔に楔体と楔子をセットし、楔体の透孔にクレーン等のフックを掛合してこの楔体を引き上げると、楔作用により楔体と楔子は楔孔の壁面に圧接するので、重量のある物品でも、大きな引抜き力でこれを吊支できる。
【００１７】
請求項２によれば、楔孔に対する楔体と楔子の設置がし易い。
【００１８】
請求項３によれば、楔体を物品の楔孔に挿入する際、この爪が楔孔の縁に当接するので、楔体の挿入位置決めができ、楔孔を通り抜けてしまうことがない。
【００１９】
請求項４によれば、つまみを掴んで楔子を取り扱えるので、楔孔に挿入して楔体の楔部に対設するが容易となる。
【００２０】
請求項５によれば、楔子の楔孔面に対する押圧力を集中でき、抜け出たりしない。
【００２１】
請求項６によれば、つまみを持った状態で楔子を起立状態にでき、楔孔に挿入して楔体の楔部に対設する作業が一層容易となる。
【００２２】
請求項７によれば、該楔孔の該一面側は断面肉厚が漸減しているため楔子に加わる引抜力で開口の近傍部分が破壊され易いのを、非干渉部の存在によって解消できる。
【００２３】
請求項８によれば、強度が大で、大きな引抜き力に対応できる。
【図面の簡単な説明】
【００２４】
【図１】本発明にかかる吊り治具の楔体の具体例を示す正面図である。
【図２】図１の２−２線断面図である。
【図３】本発明にかかる吊り治具の楔子の具体例を示す正面図である。
【図４】同側面図である。
【図５】本発明にかかる吊り治具の使用状態の部分断面図である。
【発明を実施するための形態】
【００２５】
本発明の実施の形態を、図面を参照して説明する。
（請求項１）この吊り治具は、少なくとも一面Ｎで縮寸する楔孔Ｈを備えた物品Ａ用で、楔体１と楔子２を包含している。楔体１は板状で物品Ａの楔孔Ｈに緩合する幅Ｗ１を有しかつ透孔１１を備え、この透孔１１の周壁面１２の一部に楔部１３が設けられている。楔子２は板状で楔体１の透孔１１に緩合する幅Ｗ２を有している。
この楔体１を物品Ａの楔孔Ｈに緩合し、楔子２を、楔体１の透孔１１を通して、楔部１３と対向させることにより、楔体１に引張力が作用したとき楔孔Ｈと楔部１３の楔作用で楔子２を楔孔Ｈの面に圧接して物品Ａを吊支するようになっている。
【００２６】
この吊り治具によれば、物品Ａに設けられている楔孔Ｈを利用でき、この楔孔Ｈに楔体１と楔子２をセットし、楔体１の透孔１１にクレーン等のフックＦを掛合してこの楔体１を引き上げると、楔作用により楔体１と楔子２は楔孔Ｈの面に圧接するので、重量のある物品でも、大きな引抜き力でこれを吊支できる。
【００２７】
（請求項２）物品Ａは内部に空間Ｓのある函体Ｂとなっている。
この場合、物品Ａはブロック状の中実のものでもよいが、こうすると、楔孔Ｈに対する楔体１と楔子２の設置がし易い。
【００２８】
（請求項３）楔体１はその一面から爪１４が突出している。
この場合、楔体１を物品Ａの楔孔Ｈに挿入する際、この爪１４が楔孔Ｈの縁に当接するので、楔体１の挿入位置決めができ、楔孔Ｈを通り抜けてしまうことがない。
【００２９】
（請求項４）楔子２はその一面からつまみ２１が突出している。
この場合、つまみ２１を摘んで楔子２を取り扱えるので、楔孔Ｈに挿入して楔体１の楔部１３に対設するが容易となる。
【００３０】
（請求項５）楔子２は一面２１との反対面２３に押圧突部２４を備えている。
この場合、楔子２の楔孔Ｈ面に対する押圧力を集中でき、抜け出たりしない。
【００３１】
（請求項６）つまみ２２は押圧突部２４と反対側の面に設けられている。
この場合、つまみ２２を持った状態で楔子２を起立状態にでき、楔孔Ｈに挿入して楔体１の楔部１３に対設する作業が一層容易となる。
【００３２】
（請求項７）楔子２は押圧突部２４のない非干渉部２５で楔孔Ｈの面に対するようになっており、楔子２を透孔１１及び楔孔Ｈに挿し込んで楔体１に引抜力を加えたときに、非干渉部２５が楔孔Ｈの一面Ｎ側近傍の破壊を防止するようになっている。
この場合、楔孔Ｈの一面Ｎ側は断面肉厚が漸減しているため楔子２に加わる引抜力で開口の近傍部分が破壊され易いのを、非干渉部２５の存在によって解消できる。
【００３３】
（請求項８）楔体１と楔子２は金属製となっている。
この場合、強度が大で、大きな引抜き力に対応できる。
【符号の説明】
【００３４】
Ｎ    一面
Ｈ    楔孔
Ａ    物品
Ｓ    空間
Ｂ    函体
１    楔体
１１  透孔
１２  周壁面
１３  楔部
１４  爪  
２    楔子
２１  つまみ
２２  押圧突起    
【図１】
2015202909.tif 000003
【図２】
2015202909.tif 000004
【図３】
2015202909.tif 000005
【図４】
2015202909.tif 000006
【図５】
2015202909.tif 000007